(57)【要約】【課題】構造が簡単で摺動レールが変形するおそれがなく、使い勝手のよいグリルユニット及びこれを備えた加熱調理器を提供すること。【解決手段】前面側に開口部を有し、両側壁の内面の下部に固定ガイドレール１４ａ，１４ｂが取り付けられたグリル室１１と、グリル室１１の開口部を開閉するグリル扉２１、及び前方端部同士が連結され固定ガイドレール１４ａ，１４ｂの外周又は内周に摺動自在に嵌合された摺動レール２３ａ，２３ｂからなるグリル扉装置２０とを備え、グリル扉装置２０の摺動レールにグリル皿４０を載置される構成にし、そのグリル扉装置２０がグリル室１１から最も前方に引き出された状態で、グリル皿はその略全体がグリル室の前面開口より外側に水平設置状態で露出し、かつこの状態でグリル扉装置は固定レールから前方に引き出された摺動レールによりその引き出し位置で自ら安定する。【選択図】図６
2008302058.tif 000002
【特許請求の範囲】
【請求項１】
加熱調理器に設けられるグリルユニットであって、
前面側に開口部を有し、両側壁の内面の下部に固定ガイドレールが取付けられた箱状のグリル室と、
前記グリル室の開口部を開閉するグリル扉、及び前記固定ガイドレールの外周又は内周に摺動自在に嵌合され、前方の一端部同士が剛性の部材で連結された摺動レールとを備えたグリル扉装置とを備え、
該摺動アーム上にグリル皿が取り外し自在に載置される構成とし、
前記グリル扉装置が最も前方に引き出された状態では、前記グリル皿はその全体がグリル室の前面開口より外側に露出し、かつこの状態でグリル扉装置は固定レールから前方に引き出された摺動レールによりその引き出し位置で安定することを特徴とするグリルユニット。
【請求項２】
摺動レールの前方端部を連結する剛性の部材が金属製の連結アームであり、このアームでグリル皿の前方端縁を支え、かつ位置決めしたことを特徴とする請求項１記載のグリルユニット。
【請求項３】
摺動レールの後方端部同士を連結する補強材を設けたことを特徴とする請求項１記載のグリルユニット。
【請求項４】
補強材は、グリル皿の設置状態ではその下方に位置するものであり、かつ後部にはグリル皿の挿入位置を規制するストッパーを設けたことを特徴とする請求項３記載のグリルユニット。
【請求項５】
前記請求項１〜４のいずれかのグリルユニットを備えたことを特徴とする加熱調理器。
【請求項６】
加熱調理器に設けられるグリルユニットであって、
前面側に開口部を有し、両側壁の内面の下部に固定ガイドレールが取付けられた箱状のグリル室と、
前記グリル室の開口部を開閉するグリル扉、及び前記固定ガイドレールの外周又は内周に摺動自在に嵌合され、前方の一端部同士が剛性を有する連結アームで連結された摺動レール、及び前方端部が前記グリル室の開口部を開閉するグリル扉を支持し、後方端部が前記摺動レールに回動自在に軸支されたプルダウンアームを有し、前記グリル扉を前記グリル室から前方へ引き出したときに該グリル扉が下降するプルダウン機構が設けられたグリル扉装置とを備え、
該摺動アーム上にグリル皿が取り外し自在に載置される構成とし、
グリル扉を前記グリル室の前面開口部側へ移動させる場合に、前記プルダウンアームが前記連結アームに接触してそれを下方から支える構成にしたことを特徴とするグリルユニット。
【請求項７】
前記プルダウン機構のプルダウンアームに長穴を設け、一端が前記摺動レールに回動自在に軸支された保持アームの他端に設けたピンを、前記プルダウンアームの長穴に摺動自在に嵌入したことを特徴とする請求項６記載のグリルユニット。
【請求項８】
前記プルダウン機構のプルダウンアームの下面に、ほぼアーチ状の凹部を設けたことを特徴とする請求項６記載のグリルユニット。
【請求項９】
前記グリル室の開口部近傍の前記プルダウンアームが通過する位置に滑動体を設けたことを特徴とする請求項６記載のグリルユニット。
【請求項１０】
前記グリル皿に、該グリル皿の位置決め手段を設けたことを特徴とする請求項６に記載のグリルユニット。
【請求項１１】
前記グリル室の後壁に後部開口部を設けると共に、前記固定ガイドレール及び摺動レールを長く形成し、前記固定ガイドレールの後部を前記後部開口部から背面側に突出させ、当該突出部に対応した位置に磁力付勢手段を設け、摺動レールが所定位置まで移動した状態でその摺動レールに対しグリル室側への引き込み力を与える構成にしたことを特徴とする請求項６記載のグリルユニット。
【請求項１２】
連結アームでグリル皿の前方端縁を支え、かつ位置決めしたことを特徴とする請求項６記載のグリルユニット。
【請求項１３】
摺動レールの後方端部同士を連結する補強材を設けたことを特徴とする請求項６記載のグリルユニット。
【請求項１４】
補強材は、グリル皿の設置状態でその下方に位置するものであり、かつ後部にはグリル皿の後方移動を規制するストッパーを設けたことを特徴とする請求項１３記載のグリルユニット。
【請求項１５】
プルダウンアームの前方端部同士を連結する補強材を設けたことを特徴とする請求項６記載のグリルユニット。
【請求項１６】
補強材は、グリル皿の設置状態ではその下方に位置するものであり、かつその前方部には前板部を設け、この前板部の前面にグリル扉を取り付けていることを特徴とする請求項１５記載のグリルユニット。
【請求項１７】
補強材はその奥行寸法がグリル室の奥行寸法の半分にも及ぶ大きさであり、グリル皿の下面に所定間隙を置いて平行に設置されることを特徴とする請求項１５記載のグリルユニット。
【請求項１８】
前記請求項６〜１７のいずれかのグリルユニットを備えたことを特徴とする加熱調理器。
【請求項１９】
加熱調理器に設けられるグリルユニットであって、
前面側に開口部を有し、両側壁の内面の下部に固定ガイドレールが取付けられた箱状のグリル室と、
前記グリル室の開口部を開閉するグリル扉、及び前記固定ガイドレールの外周又は内周に摺動自在に嵌合され、前方の一端部同士が剛性を有する連結アームで連結された摺動レール、及び前方端部が前記グリル室の開口部を開閉するグリル扉を支持し、後方端部が前記摺動レールに回動自在に軸支されたプルダウンアームを有し、前記グリル扉を前記グリル室から前方へ引き出す量に応じて該グリル扉が下降する量が大きくなるよう摺動レールを支点とした傾斜角度が大きくなるプルダウン機構が設けられたグリル扉装置とを備え、
該摺動アーム上にグリル皿が取り外し自在でかつ前後方向移動が規制された状態で載置される構成とし
グリル扉を前記グリル室の前面開口部側へ移動させる場合に、前記プルダウンアームが前記連結アームをその下方から支え、
前記グリル扉装置が摺動アームとともに最も引き出された状態では、前記グリル皿はその全体がグリル室の前面開口より外側に水平に露出し、かつこの状態でグリル扉装置は固定レールから前方に引き出された摺動レールにより、グリル皿の有無に拘わらず、その引き出し位置で安定することを特徴とするグリルユニット。
【請求項２０】
前記請求項１９のグリルユニットを備えたことを特徴とする加熱調理器。
【発明の詳細な説明】
【技術分野】
【０００１】
本発明は、加熱調理器において庫内調理を行うグリルユニット及びこのグリルユニットを備えた加熱調理器に関するものである。
【背景技術】
【０００２】
従来のグリルケースにグリル受け皿がスライドレール手段によってスライドされて引き出し自在に構成されたグリルに、スライドレール手段はグリルケースの両側に固定されたガイドレールと、このガイドレールに係合し、グリル受け皿の両側に配される被ガイドレールとを備え、グリルケース左右の被ガイドレールに枠材を架設して皿受け枠を構成し、皿受け枠にグリル受け皿を取り外し自在に積載し、被ガイドレールはガイドレールに対してグリル受け皿の後部がグリルケースの開口位置まで引き出し可能に構成したものがある（例えば、特許文献１参照）。
【０００３】
【特許文献１】特開２００４−２６１２８０号公報（第４−５頁、図１−３）
【発明の開示】
【発明が解決しようとする課題】
【０００４】
上記のような従来のグリルユニットにおいては、ガイドレールより高い位置にグリル受け皿を保持するために、被ガイドレールにカバー枠を設けているが、構造が複雑になるばかりでなく、コストアップになる。
【０００５】
また、グリル受け皿の幅を狭くした場合は、使用空間が小さくなり、調理できる素材の大きさが制限されることに繋がる。
【０００６】
また、被ガイドレールは強度が低いため、これによってグリル受け皿及びこれに載置された被調理物を保持すると、被ガイドレールにねじれが生じ易い。
さらに、グリル受け皿は、被ガイドレールのカバー枠の前後に設けた皿受け枠上に載置するだけなので、不安定である。
【０００７】
また、グリル受け皿の着脱性を向上するために、グリルケースの奥行寸法に対して、グリル受け皿の奥行寸法を短かくしている。そして、グリル受け皿全体をグリルケースから引き出すために、レールガイド手段を、ガイドレール、中間レール及び被ガイドレールの３段構成としているが、構造が複雑でコストアップになるばかりでなく、嵌合部が２か所になるため強度的にも問題である。
【０００８】
さらに、上記従来のグリルユニットのプルダウン構造の場合は、引き出したグリル扉を閉じる際、グリル扉を上方に持ち上げたのち押し込むようになっている。このため、操作が面倒であるばかりでなく、上方に持ち上げることなくグリル扉を押し込むと、プルダウン機構の揺動アームがグリルケースの底面に接触して押し込みにくくなるという問題がある。
【０００９】
特に、グリル扉のプルダウン角度を大きくすると揺動アームの角度も大きくなり、グリル扉を上方に持ち上げる力が小さくなるため、グリル扉が押し込みにくく、無理に押し込むと揺動アーム及びグリルケースの底面が変形してしまうおそれがある。最近はグリル皿の大形化の傾向にあるが、大形のグリル皿を使用した場合はグリル皿の重量も重くなるため、プルダウン機構の剛性を確保することが大きな課題になっている。
【００１０】
本発明は、上記の課題に鑑みて、構造が簡単でかつ剛性が高く、使い勝手のよいグリルユニット及びこれを備えた加熱調理器を提供することを目的としたものである。
【課題を解決するための手段】
【００１１】
本発明に係るグリルユニットは、加熱調理器に設けられるグリルユニットであって、前面側に開口部を有し、両側壁の内面の下部に固定ガイドレールが取付けられたグリル室と、前記グリル室の開口部を開閉するグリル扉、及び前記固定ガイドレールの外周又は内周に摺動自在に嵌合され、前方の一端部同士が剛性を有する部材で連結された摺動レールとを備えたグリル扉装置とを備え、該摺動アーム上にグリル皿が取り外し自在に載置される構成とし、前記グリル扉装置が最も引き出された状態では、前記グリル皿はその略全体がグリル室の前面開口より外側に露出し、かつこの状態でグリル扉装置は固定レールから前方に引き出された摺動レールによりその引き出し位置で安定する構成にしたことを特徴とするものである。
【００１２】
また別の本発明は、前面側に開口部を有し、両側壁の内面の下部に固定ガイドレールが取付けられたグリル室と、前記グリル室の開口部を開閉するグリル扉、及び前記固定ガイドレールの外周又は内周に摺動自在に嵌合され、前方の一端部同士が剛性を有する連結アームで連結された摺動レール、及び前方端部が前記グリル室の開口部を開閉するグリル扉を支持し、後方端部が前記摺動レールに回動自在に軸支されたプルダウンアームを有し、前記グリル扉を前記グリル室から前方へ引き出したときに該グリル扉が下降するプルダウン機構が設けられたグリル扉装置とを備え、該摺動アーム上にグリル皿が取り外し自在に載置される構成とし、グリル扉を前記グリル室の前面開口部側へ移動させる場合に、前記プルダウンアームが前記連結アームをその下方から支える構成にしたものである。
【００１３】
また、本発明に係る加熱調理器は、上記のグリルユニットを備えたものである。
【発明の効果】
【００１４】
本発明によれば、グリル皿を支持する摺動レールの剛性を高くすることができるので、長期の使用によっても変形したりねじれたりすることがなく、またグリル扉装置が最も引き出された状態で、前記グリル皿はその全体がグリル室の前面開口より外側に露出し、かつこの状態でグリル扉装置は固定レールから前方に引き出された摺動レールによりその引き出し位置で安定するので、グリル皿の取り出しやセット時に摺動レールが不用意に動かず、グリル皿の取り出し等が容易にできる。これらにより、全体の剛性を高め、構造が簡単で長期使用に耐え、使い勝手の良いグリルユニット及びこれを備えた加熱調理器を得ることができる。
【００１５】
また別の本発明によれば、摺動レールの剛性を高くすることができるとともに、摺動レールの連結アーム部分にプルダウンレールがその下方から当接し、グリル扉の移動開始時には、摺動レールの上に置かれたグリル皿の荷重を支えて摺動レールを押せるため、グリル皿の移動機構の変形を防止し、構造が簡単で長期使用に耐えるグリルユニット及びこれを備えた加熱調理器を得ることができる。
【発明を実施するための最良の形態】
【００１６】
［実施の形態１］
図１は本発明の実施の形態１に係るグリルユニットを備えた加熱調理器のグリル扉装置を引き出した状態の斜視図であり、プルダウン機構３０は図示していない。図２は図１のグリルユニットの縦断面図、図３は図２のグリル扉装置をグリル室内に収納した状態の縦断面図、図４は図２の摺動レールを引き出した状態の側面図、図５は図４のＡ−Ａ断面図、図６はグリルユニットを備えた加熱調理器のグリル扉装置を引き出した状態の斜視図、図７は図６のグリル扉装置をグリル室内に収納した状態の斜視図、図８は同じく図６のグリル扉装置をグリル室内から引き出した状態の斜視図で、プルダウン機構３０は図示していない。図９は摺動レールと後部補強板との関係を示す主要部の斜視図、図１０は補強板の取り付け前における斜視図、図１１は図６の摺動レールとプルダウンアームとの位置関係を示す一部分の斜視図、図１２は図７のグリル扉装置をグリル室内から引き出した状態の側面図で、グリル室は断面で示している。図１３は同じく図６のグリル扉装置をグリル室内へ押し戻す過程を示す側面図で、グリル室は断面で示している。
【００１７】
図において、ほぼ箱状の本体ケース１の上面開口部には、例えば耐熱ガラスの如き非磁性材からなり、外周に天板支持枠２が設けられた平板状の天板３が着脱可能に装着されている。そして、天板３の上面には、調理容器５０の載置位置を示す複数の載置位置表示部４ａ〜４ｃ（図には３個の場合が示してあるが、２個以上であればよい）が印刷により設けられている。５は天板支持枠２の後部側に設けた排気口である。
【００１８】
６ａ，６ｂは本体ケース１の前面側の両側（一方の側又は上部の場合もある）に設けられた主操作部、７は天板支持枠２の前面側に設けられた副操作部である。なお、図示してないが、主操作部６ａ，６ｂの下面には外気取入口が設けられており、本体ケース１内には、天板３の載置位置表示部４ａ〜４ｃの下面に、例えば、誘導加熱コイルやヒータの如き加熱体が設けられており、また、これら加熱体を制御する制御部、外気取入口から取入れた外気により加熱体や制御部等を冷却するための送風機等が設けられている。
【００１９】
１０は主操作部６ａ，６ｂの間（主操作部が一方の側に設けられている場合はこれと並行して）に設けられたグリルユニットで、本体ケース１内に設置されて前面が開口したほぼ箱状のグリル室１１と、グリル皿４０が着脱自在に載置されてグリル室１１内に挿脱自在に収容される引出し式のグリル扉装置２０とからなっている。
【００２０】
グリル室１１は、全体が金属製の薄板から一体にプレス成形して形成したり、薄板の端部同時を溶接やネジで固定したりして箱形状に組み立てて形成しており、前面側に本体ケース１の前面側に開口する開口部１２を有し、後部側に排気口１３が設けられている。また両側壁内面の下部の前後方向には、前端部にストッパー１５を有する断面ほぼコ字状の一対の固定ガイドレール１４ａ，１４ｂ（以下、単に１４と記すことがある）が、開口部を対向させて溶接等により取付けられている。なお、図示してないが、グリル室１１の天井板の下面には、シーズヒータやハロゲンヒータの如き加熱体が配設されている。また底板の上面にもその底板と一定の間隔を保つようにグリル室１１の背面から前方方向へ水平に展開したシーズヒータ等の加熱体が配設されている。
【００２１】
また、グリル扉装置２０は、下端部に取っ手２２を有し、中央部に透明のガラス窓（図８、図９参照）を設けているグリル扉２１と、断面ほぼコ字状で、開口部を外側に向けて一端がグリル扉２１の両側に水平に取付けられた金属板製の摺動レール２３ａ，２３ｂ（以下、単に２３と記すことがある）とを基本に構成されている。なお、２４ａ，２４ｂは摺動レール２３ａ，２３ｂの最前端部と後方端部にそれぞれ設けたストッパーであり、摺動レール２３ａ，２３ｂの前方及び後方への過剰な移動を阻止するものである。
【００２２】
この摺動レール２３のウエブは金属製の固定ガイドレール１４のウエブより高く形成されており、ウエブと上下のフランジの間には、上下の長手方向に設けた複数のポケットにそれぞれ、ころ２６が転動自在に保持されたリテーナ２５が長手方向に移動自在に配設されている。
そして、摺動レール２３は、その開口部を固定ガイドレール１４の開口部側から、上下のフランジの外面にリテーナ２５のころ２６を介して嵌合され、長手方向に摺動自在に保持されている（図４）。
【００２３】
８０は図９に示すように、摺動レール２３ａ，２３ｂの後端部の内側に置かれ、その摺動レール２３ａ，２３ｂと溶接等の固定手段で全体に亘って固定された補強材としての後部補強板であり、ステンレス鋼板や鉄板等の薄板を加工して形成されている。この後部補強板は幅が７ｃｍ程度の大きさで、摺動レール２３ａ、２３ｂと固定されている左右両端部は下方にＵ字形に曲げられて屈曲部８２を一体に形成している。
【００２４】
この屈曲部８２の上面は、摺動レール２３ａ，２３ｂの上面とほぼ同一水平面になるように揃えてあり、グリル皿４０の設置時にその水平感を損なわないようにしてある。また後部補強板８０の後端縁は上方に直角に折り曲げてストッパー部８１を形成してある。このストッパー部は、グリル室１１の前面開口部１２から、後述するグリル皿４０を挿入し、摺動レール２３ａ，２３ｂの上に載せる際に、そのグリル皿４０の後端縁が当たり、その後方移動の規制をし、位置決めとなり得る。
【００２５】
また左右一対の屈曲部８２の内部には、図９に示すように後述するプルダウンアーム３１ａ（３１ｂ）が一定の微小間隙を置いて位置している。このプルダウンアーム３１ａ（３１ｂ）はその後端部３１Ｅがピン３２によって摺動レール２３ａ，２３ｂに軸支されており、そのピン３２を中心として水平位置から斜め下の方向に自由に傾斜可能となるようにしてある。プルダウンアーム３１ａ（３１ｂ）が傾斜した状態は図６及び図１２に示している。
【００２６】
図１及び図２及び図６はグリル扉装置２０を固定ガイドレール１４に沿ってグリル室１１から引き出した状態を示すもので、リテーナ２５が固定ガイドレール１４のストッパー１５と、摺動レール２３のストッパー２４ｂとの間に挟まれて停止した状態では、摺動レール２３の後端部は、ころ２６を介して固定ガイドレール１４の前端部に支持されている。
【００２７】
また、図３、図７はグリル扉装置２０をグリル室１１内に収容した状態を示すもので、摺動レール２３のストッパー２４ａが固定ガイドレール１４のストッパ１５に当って停止し、グリル室１１の開口部１２はグリル扉２１によって閉塞される。
【００２８】
グリル室１１の奥行寸法に対し、グリル皿４０の前後移動範囲が短かい場合は、グリル扉装置２０を引き出したときに、グリル皿全体がグリル皿から出ず、後部がグリル室内に残っているためグリル皿の着脱が不便である。
そこでこの実施の形態では、グリル扉装置２０を引き出した際に、グリル皿４０のほぼ全体をグリル室１１から露出させて着脱性を向上させるように工夫している。
具体的には、グリル扉装置２０をグリル室１１の前面開口部１２に密着させた状態で、摺動レール２３ａ，２３ｂの後部がグリル室１１の背面（後面）に形成した開口部１６ａ，１６ｂから背面外側に突出するように、摺動レール２３ａ，２３ｂの長さを設定している（図８）。
【００２９】
前記グリル皿４０は、全体がステンレス鋼板や耐食性の高い皮膜、例えば全表面にホーロー皮膜処理を施した鋼板等の金属板から一体に形成されており、その中央の凹んだ皿部４１の上端部外周には、載置部であるフランジ４２が一体に折り曲げ形成で設けられている。そしてこのグリル皿４０のフランジ４２が、摺動レール２３ａ，２３ｂ上に載置されており、グリル皿４０前後左右の側縁の内、前方側のフランジ４２Ｂは他の側のものと形状を異ならせてあり、前方側フランジ４２Ｂの左右中央部には横幅１００ｍｍ程にわたり、盛り上がった逆さＵ字形部が形成され、その部分が後述する連結アーム７０のアーム部７０Ａを上方から包むような状態で係合するので、グリル皿４０はその設置状態ではアーム部７０Ａによって前後方向に不必要な動きをしないように規制される。
【００３０】
このようにグリル皿４０を正しい位置に設置した状態では、そのフランジ４２の後端部４２Ａが後部補強板８０のストッパー部８１の真上に位置する。一方前方のフランジ４２Ｂは、後述する連結アーム７０のアーム部７０Ａの上に設置された状態となる。つまりグリル皿４０はその左右のフランジ部４２が摺動レール２３ａ，２３ｂ上面で、また前方のフランジ部４２Ｂはアーム部７０Ａの上面で、それぞれ支持された形になる。またグリル皿４０の外部底面とグリル室１１の底面との間には所定の空間ＢＳ（図５参照）が確保され、この空間内に設けたシーズヒータ等の下部発熱体により下方から加熱される構成になっている。
【００３１】
５０は、グリル室１１の背面（後面）に形成した開口部１６ａ，１６ｂの外側に対応してグリル室１１背面に固定した磁力付勢手段で、その外郭ケースの内部には永久磁石Ａ５１が固定されており、摺動レール２３ａ，２３ｂの後端部に固定された永久磁石Ｂ５２との位置関係により、摺動レール２３ａ，２３ｂが押し込まれる最終過程近くで両磁石Ａ、Ｂが互いに引き合い、摺動レール２３ａ，２３ｂをグリル庫１１に引き込むような力を発生させる。これによりグリル扉装置２０は永久磁石Ａ５１、Ｂ５２の磁力でグリル室１１の前面に密着状態となるように引き込まれたままとなる。なおこのような磁力付勢手段自体は既に色々な構造が知られている（図１３）。またこの磁力付勢手段は図１〜図１２では図示省略している。
【００３２】
３０は、グリル扉装置２０に設けたプルダウン機構３０であり、３１ａ，３１ｂ（以下、単に３１と記すことがある）は摺動レール２３のウエブより幅狭で、長手方向の中央部近傍には長穴３３が設けられており、後端部側が摺動レール２３のウエブの後部側にピン３２により回動自在に軸止された一対の金属板製プルダウンアームである。
【００３３】
このプルダウンアーム３１ａ，３１ｂの前方端部には、グリル扉２１が後述する補強板６０（図１０参照）を介して着脱自在に取り付けられている。３４ａ，３８ｂ（以下、単に３４と記すことがある）は一端がピン３５により摺動レール２３のウエブの前部側に回動自在に軸止された保持アームで、他端に設けたピン３６がプルダウンアーム３１の長穴３３に摺動自在に嵌入されている。
【００３４】
補強材としての補強板６０は、図１０の斜視図に示すように、全体がステンレスや耐食性のある鋼板等の薄板（板厚１ｍｍ程度）からプレス成形で一体に形成されており、その左右両側にはそれぞれ切り起し辺６１、６２が垂直に形成されている。この切り起し辺６１、６２はプルダウンアーム３１ａ，３１ｂの前方端部の内側に密着状態で重ね合され、かつ溶接やネジ止めによりそれと強固に固定されている。
【００３５】
また切り起し辺６１、６２はプルダウンアーム３１ａ，３１ｂに固定された状態で、その上面よりも上に突出しない高さ寸法Ｇになっている。なお図１０に一点鎖線で示した３１bは右側のプルダウンアームであり、この図には図示していないが、同様に左側のプルダウンアーム３１ｂも切り起し辺６２の左側面に密着状態に重ね合されてネジや溶接等の手段で固定されている。また補強板６０はその奥行寸法が１５０ｍｍもあり、これはグリル室の奥行寸法の約半分にも及ぶ大きさである。これによりプルダウンアーム３１ａ，３１ｂはその中間部分から前方部分は大きく頑丈な補強板６０によって一体的に結合された状態になるので、前方部分だけではなく全体の強度（剛性）が高められている。
【００３６】
６３は補強板６０の前方端縁から上方に一体に垂直に切り起し形成された前板部で、この前板部の前面にグリル扉２１を着脱自在に取り付けている。前板部６３は、前記切り起し辺６１、６２の前端６１Ａ、６２Ａと所定の間隔Ｓを置いて形成されている。また補強板６０の高さ寸法Ｇは、プルダウンアーム３１ａ，３１ｂの高さ寸法と略同一である。６５は補強板６０に２箇所対称的形状で形成した窓である。
【００３７】
前記間隔Ｓはプルダウン機構３０が水平になっているとき、後述する連結アーム７０が補強板６３の後方に位置するためのものである。逆に言い換えると図７の状態からプルダウン機構３０を持ち上げた場合、連結アーム７０の前方空間に、前記グリル扉２１が補強部６３で支えられて上昇してくる。
【００３８】
図１１において、７０は摺動レール２３ａ，２３ｂの前方端部にネジ７１で固定された連結アームで、全体が金属で一体に形成されている。これにより摺動レール２３ａ，２３ｂの前端部同士が強固に一体的に連結され、外部からのねじり力等に対して十分な剛性が担保される。
【００３９】
７０Ａは連結アーム７０の下面から所定寸法Ｆだけ上方に位置しているアーム部であり、摺動レール２３ａ，２３ｂと固定された状態ではその上面から所定寸法Ｅだけ高くなるような寸法関係になっている。そしてこのアーム部７０Ａに対し、前記プルダウン機構３０の一対のプルダウンアーム３１ａ，３１ｂがその上方から見て（下方位置で）直角に交差しているので、グリル扉装置２０を閉じる場合に、プルダウンアーム３１ａ，３１ｂが取っ手２２を介して使用者により上方に持ち上げられたとき、そのプルダウンアームの３１ａ，３１ｂの前端部上面がアーム部７０Ａの下面の所定位置に当たり、連結アーム７０を持ち上げる。これにより結果的にプルダウン機構３０と摺動レール２３ａ，２３ｂとは一体的になって使用者により水平状態になり、そのまま後方、すなわちグリル室１１方向へ移動させることができる。
【００４０】
図６において、８５は後部補強板８０と同様に、摺動レール２３ａ，２３ｂと溶接等の固定手段で固定された補強材としての中間補強板であり、ステンレス鋼板や鉄板等から形成されており、これにより摺動レール２３ａ，２３ｂは後部補強板８０、中間補強板８５、連結アーム７０の３つの金属製部材により一体に結合され、ねじれ変形等を防止できる十分な剛性を保証できる構造となっている。
【００４１】
上記のように構成したグリルユニット１０においては、図５に示すように、凹状の皿部４１の上端部外周に載置部であるフランジ４２が設けられたグリル皿４０のフランジ４２を、摺動レール２３ａ，２３ｂ上に載置し、皿部４１を摺動レール２３ａ，２３ｂの間に位置させる。そして、皿部４１に被調理物を載置して、グリル皿４０と共にグリル扉装置２０をグリル室１１内に収容してグリル扉２１により開口部１２を閉塞する。
【００４２】
グリル皿４０が上記のようにグリル室１１の内部に収容された状態では、その上方の空間には加熱体があり、また下方空間にはグリル室１１の下部空間ＢＳ（図５参照）に設けた加熱体があるので、これら加熱体に通電するとグリル室１１内部は高温雰囲気になり、グリル皿４０も高温度に熱せられて被調理物は加熱され、調理される。なお、実際の調理では図示していないが、グリル皿４０の皿部４１には金属製の焼網が着脱自在に置かれ、この焼網の上に被調理物が置かれることが多い。
【００４３】
調理が終ったときは、グリル扉装置２０をグリル室１１から引き出し、被調理物又は被調理物が載置されたグリル皿４０を取り出して、再びグリル皿装置２０をグリル室１１内に収容する。
【００４４】
上記のように構成した本実施の形態において、グリル扉装置２０をグリル室１１から引き出す場合について各部分の動作を説明すると、まず摺動レール２３ａ，２３ｂは前方に引き出される。そして図１２に示すように、グリル扉２１の自重によりプルダウンアーム３１はピン３２を支点にして下方向に回動し、これに伴って保持アーム３４もピン３５を支点に下方向に回動し、ピン３６が長穴３３の前端部に当接して停止する。
【００４５】
これにより、グリル扉２１は摺動レール２３に対して角度Ｘ（以下、プルダウン角度という）で下降し、その位置に保持される。このとき、補強板６０を介して前端部にグリル扉２１を支持したプルダウンアーム３１は、ピン３２，３５，３６を介して摺動レール２３に支持される。つまり前記グリル扉装置２０が最大限引き出された状態では、前記グリル皿４０はその略全体がグリル室１１の前面開口１２より外側に露出し、かつこの状態でグリル扉装置２０は固定レールから前方に引き出された摺動レール２３によりその引き出し位置で安定する。その状態でグリル皿４０を持ち上げて取り除いても、摺動レール２３は勝手に移動することがなく、再びグリル皿４０をセットするまでその位置にある。なおここでいう「安定」とは勝手に摺動レール２３がグリル室１１側に引き込まれることがないことを指すもので、力を加えても移動しないという意味ではない。
【００４６】
前記摺動レール２３ａ，２３ｂが図１２に示すような位置に停止するのは、摺動レール２３ａ，２３ｂが前方に移動して、リテーナ２５が固定ガイドレール１４のストッパー１５と、摺動レール２３ａ，２３ｂのストッパー２４ｂとの間に挟まれて停止するからである。つまり、図１２の位置に摺動レール２３ａ，２３ｂが安定するのは、グリル扉装置２０や補強板６０の重さも含めた摺動レール２３ａ，２３ｂの重さで摺動レール２３ａ，２３ｂが前方に引かれるが、固定ガイドレール１４のストッパー１５でリテーナ２５の動きが規制されるからである。またこの状態で使用者がグリル皿４０を持ち上げて取り出しても、摺動レール２３ａ，２３ｂが勝手に移動することはない。つまりその位置で安定している。
【００４７】
図１２に示すように、グリル扉装置２０をグリル室１１から最大限引き出した状態では、グリル扉２１はその上端部の位置が下方に下がっており、グリル皿４０を前方に取り出すにあたり、邪魔になることは殆んどない。
【００４８】
また摺動レール２３がグリル室１１の前面開口部から所定寸法Ｄ１引き出された状態になる。一方、摺動レール２３の上に置かれたグリル皿４０は、その摺動レールの前端から所定の奥行寸法Ｄ２があり、このＤ２は上記Ｄ１に略近い大きさであるから、グリル皿４０はその略全体がグリル室１１の外に出た状態で摺動レール２３の上に置かれた状態である。そのため、前記グリル扉２１が下方に下がっていることと相俟って、グリル皿４０を使用者が取り出すことや、その中に被調理物を入れる作業が楽に行なえる。
【００４９】
実際の製品では、グリル室１１の内側寸法は幅３６３ｍｍ、奥行２９６ｍｍ、高さ１０７ｍｍで、グリル皿４０のフランジ４２の後端部４２Ａがグリル室１１の前面開口より内部まで入っている寸法は約１０ｍｍであり、この１０ｍｍ程度はグリル皿４０の取り出し操作の面で何ら支障はないから、グリル皿４０の全体がグリル室１１から露出していると言える。また少し横長の長方形をしているグリル皿４０自体の寸法は、最大幅３５０ｍｍ、最大奥行は約２９０ｍｍ、皿部４１の幅は３２０ｍｍ、奥行は約２５０ｍｍで、従来のものに比較して大形で、それだけ重量もある。また補強板６０はその奥行寸法が前記した通り１５０ｍｍもあり、グリル室の奥行寸法の約半分にも及ぶ大きさであるから、グリル皿４０をグリル室１１に設置した状態ではそのグリル皿４０の前半部分の下方は補強板６０が下方を覆っていると言える。なお、補強板６０は強度に影響しない程度ならば窓６５を２つだけではなく、多数設けても良く、また補強板６０がグリル室内底部の発熱体の上方にあっても、グリル皿４０が加熱されるのに何ら障害にはならない。
【００５０】
なお、プルダウン角度Ｘを大きくには、例えば保持アーム３４を長く形成すれば良い。こうすればグリル扉２１はその上端の位置が下方に下がっており、グリル皿４０を前方に取り出すにあたり、さらに前方開放度が向上し、便利である。
【００５１】
グリル扉装置２０を図１２、図１３に矢印ＡＰで示す方向（後方）に押し、グリル室１１内側へ移動させる、図１２に示すように、プルダウンアーム３１がグリル室１１の開口部１２の下縁に押されて、ピン３２を支点として時計周り方向に回動し（上方へ押し上げられ）、これに伴って保持アーム３４もピン３５を支点に時計周り方向に回転してピン３６が長穴３３の後部側に移動する。これにより、プルダウンアーム３１と保持アーム３４が摺動レール２３とほぼ平行になって重なりあった状態になり、そのままグリル室１１側に押していけば、グリル室１１内に収容されてその開口部１２をグリル扉２１が閉塞する。
【００５２】
前記連結アーム７０はその下面から所定寸法Ｆだけ上方にアーム部７０Ａが位置しているので、その段差によりアーム部７０Ａの最上面と摺動レール２３ａ，２３ｂの上面の位置が同一水平面にないが、グリル皿４０前後左右の側縁の内、前方側のフランジ４２Ｂにはその左右中央部に、連結アーム７０のアーム部７０Ａを上方から包むよう、寸法Ｆに対応して上方へ盛り上がり、そこから下に曲げて下方に開いた逆さＵ字形部が形成され、この逆さＵ字形部によって設置状態ではアーム部７０Ａによって前後方向に大きく移動しないように形成されているので、グリル皿４０全体が上記寸法Ｆのよって傾いた状態に設置されることはなく、略水平に設置される。
【００５３】
［実施の形態２］
図１４は、本発明に係る実施の形態２のグリルユニット１０を示すもので、図１４はグリル扉装置をグリル室内から引き出した状態の側面図を示している。なお、実施の形態１と同じ部分にはこれと同じ符号を付し、説明を省略する。
【００５４】
図６で説明したプルダウン機構３０を有するグリル扉装置２０においては、グリル室１１に収容する際に、プルダウン角度Ｘが大きい場合、そのまま押し込むとプルダウンアーム３１がグリル室１１の開口部１２の下縁部の抵抗（接触時の摩擦力）により押し込みにくいことがあり、このような場合は、グリル扉２１を持ち上げて（プルダウン角度Ｘを小さくして）押し込むことが必要である。
【００５５】
本例はこのような問題を解決するために、グリル扉装置３０のプルダウンアーム３１下面の、グリル扉２１が下降したグリル扉装置３０をグリル室１７内に収容する際に、グリル室１１の開口部１２の下縁部と接触する部分に、アーチ状（緩やかな円弧状）の凹部３７を設けたものである。
【００５６】
本例によれば、プルダウンアーム３１の下面にアーチ状の凹部３７を設けたので、プルダウン角度Ｘに関係なく、グリル扉装置３０を押し込む際に、プルダウン角度Ｘが小さい場合と同様にグリル扉２１を持ち上げる力が働くため、図１４に示すように、グリル扉２１を持ち上げることなく、グリル扉２１を前方から後方へ押していけば、プルダウンアーム３１の傾斜角度は、プルダウン角度Ｘから徐々に小さくなり、ゼロ即ち水平になった状態で、グリル扉装置２０をグリル室１１内に容易に収容することができる。
【００５７】
なお、アーチ状の凹部３７を形成する位置は、プルダウンアーム３１の円滑な動きを実現するため、また図１４に示すようにグリル皿４０の略全体がグリル室１１から露出するような引き出し位置が実現できるように、プルダウンアーム３１の回動中心となるピン３２に近い部分からグリル扉２０の方向へ所定に長さに亘って形成する必要がある。
【００５８】
本例のアーチ状の凹部は、摺動レールが固定ガイドレール内に嵌入されて摺動するグリルユニットの場合にも実施することができる。
【００５９】
本実施の形態によれば、剛性の高い摺動レール２３に、前端部にグリル扉２１が支持されたプルダウンアーム３１と保持アーム３４からなるプルダウン機構３０を設けたので、プルダウン機構３０の作用により摺動レール２３が変形することがない。
また、プルダウン機構３０のプルダウンアーム３１の下面にアーチ状の凹部３７を設けたので、グリル扉２１を持ち上げることなくグリル扉装置２０を小さい力に容易にグリル室１１に収容することができるため、使い勝手のよいグリルユニット１０を得ることができる。
【００６０】
［実施の形態３］
図１５と図１６は、本発明に係る実施の形態３のグリルユニット１０を示すもので、図１５グリル扉装置をグリル室内へ押し戻す過程を示す側面図、図１６は同じくグリル扉装置をグリル室内から引き出した状態の側面図で、グリル室は断面で示している。で、グリル室は断面で示している。なお、実施の形態１と同じ部分にはこれと同じ符号を付し、説明を省略する。
【００６１】
本実施の形態は、実施の形態２に係るプルダウン機構３０を有するグリルユニット１０において、グリル室１１の底板開口部１２近傍のプルダウンアーム３１が通過する軌跡上に、滑動体３８を設けたものである。
【００６２】
滑動体３８は表面が滑る材質の金属や耐熱性樹脂で形成され、球面又は円弧面の上を左右両方のプルダウンアーム３１が通過するものである。これにより、プルダウンアーム３１は滑動体３８上を摺動するため、グリル扉２１を持ち上げることなく、小さい力で円滑にグリル扉装置２０をグリル室１１から引き出し、又は収容することができる。
【００６３】
なお、図示していないが滑動体３８としてはプルダウンアーム３１にぞれぞれ対応した、一対の円筒状又は球状のローラでも良い。この場合なローラ自体が摩擦係数の小さい（滑りやすい）材質のものでなくとも良く、プルダウンアーム３１はそのローラ形状の滑動体３８上を摺動するため、グリル扉２１を持ち上げることなく、小さい力で円滑にグリル扉装置２０をグリル室１１から引き出し、又は収容することができる。
【００６４】
なお、本実施の形態は、摺動レールが固定ガイドレール内に嵌入されたグリルユニットにも実施することができる。
【００６５】
上記の各実施の形態においては、図示の加熱調理器に本発明に係るグリルユニット１０を設けた場合を示したが、これに限定するものではなく、他の構造の加熱調理器であってもよい。
【００６６】
また、プルダウンアーム３１ａ，３１ｂが取っ手２２を介して使用者により上方に持ち上げられたとき、そのプルダウンアームの３１ａ，３１ｂの前端部上面がアーム部７０Ａの下面の所定位置に当たり、連結アーム７０が持ち上げられ、プルダウン機構３０と摺動レール２３ａ，２３ｂとは一体的になって移動する状態になるが、プルダウンアームの３１ａ，３１ｂの前端部上面とアーム部７０Ａの下面の所定位置に当たった場合の金属同士の衝突音を抑制するため、その両者の間に耐熱性ゴム等の緩衝材を介在させても良い。また緩衝材の代わりに板バネ状のクッション材を両者の一方又は双方に取り付けても良い。
【００６７】
また、上記の説明では、電力で駆動する加熱体を有する加熱調理器について説明したが、ガスを加熱源とする加熱調理器においても、本発明に係るグリルユニット１０を用いることができる。
【図面の簡単な説明】
【００６８】
【図１】本発明の実施の形態１に係るグリルユニットを備えた加熱調理器の斜視図である。
【図２】図１のグリルユニットの側断面図である。
【図３】図２のグリル扉装置をグリル室内に収納した状態の断面図である。
【図４】図２の摺動レールを引き出した状態の側面図である。
【図５】図４のＡ−Ａ断面図である。
【図６】実施の形態１のグリルユニットを備えた加熱調理器の斜視図である。
【図７】図６のグリルユニットの斜視図である。
【図８】図６のグリルユニットを引き出した状態の斜視図である。
【図９】図６のグリルユニット摺動レールと後部補強板との関係を示す主要部の斜視図である。
【図１０】図６のグリルユニットの補強板の取り付け前における斜視図である。
【図１１】図６のグリルユニットの摺動レールとプルダウンアームとの位置関係を示す一部分の斜視図である。
【図１２】図６のグリルユニットのグリル扉装置をグリル室内から引き出した状態の側面図である。
【図１３】同じく図６のグリルユニットのグリル扉装置をグリル室内へ押し戻す過程を示す側面図である。
【図１４】本発明の実施の形態２に係るグリルユニットのグリル扉装置をグリル室内から引き出した状態の断面図である
【図１５】本発明の実施の形態３に係るグリルユニットのグリル扉装置をグリル室へ押し戻す過程を示す側面図である。
【図１６】図１５のグリル扉装置をグリル室内から引き出した状態の断面図である
【符号の説明】
【００６９】
１  加熱調理器の本体ケース、１０  グリルユニット、１１  グリル室、１２  開口部、１４ａ，１４ｂ  固定ガイドレール、１６  後部開口部、２０  グリル扉装置、２１  グリル扉、２３ａ，２３ｂ  摺動レール、２５  リテーナ、２６  ころ、２７  補強枠、３０  プルダウン機構、３１  プルダウンアーム、３３  長穴、３４  保持アーム、３６  ピン、３７  アーチ状の凹部、３８  滑動体（ローラ）、４０  グリル皿、４２  フランジ、６０  前部補強板（補強材）、７０  連結アーム、７０Ａ  アーム部、８０  後部補強板（補強材）、８５  中間補強板（補強材）。
【図１】
2008302058.tif 000003
【図２】
2008302058.tif 000004
【図３】
2008302058.tif 000005
【図４】
2008302058.tif 000006
【図５】
2008302058.tif 000007
【図６】
2008302058.tif 000008
【図７】
2008302058.tif 000009
【図８】
2008302058.tif 000010
【図９】
2008302058.tif 000011
【図１０】
2008302058.tif 000012
【図１１】
2008302058.tif 000013
【図１２】
2008302058.tif 000014
【図１３】
2008302058.tif 000015
【図１４】
2008302058.tif 000016
【図１５】
2008302058.tif 000017
【図１６】
2008302058.tif 000018